【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
撮像装置と記録装置とを備えた撮像記録システムであって、
上記撮像装置は、
上記記録装置が発行した当該撮像装置が出力すべき画像データのビットレートを指示する出力ビットレート指示を受領する出力ビットレート指示受領手段と、
撮像した画像を上記出力ビットレート指示受領手段にて受領した上記出力ビットレート指示に基づいて所定のビットレートの画像データに変換して上記記録装置に出力する画像変換出力手段とを備え、
上記記録装置は、
ディスク型記録媒体と、
上記ディスク型記録媒体に記録可能なビットレートを算出し、上記ディスク型記録媒体に記録可能なビットレートに基づいて上記撮像装置が出力すべき画像データのビットレートを算出して、上記撮像装置に上記出力ビットレート指示を発行するビットレート算出指示手段と、
上記撮像装置が出力した画像データを受領し、上記ディスク型記録媒体に記録する画像データ記録手段と
を備えることを特徴とする撮像記録システム。
【請求項２】
上記撮像装置は、さらに、
上記記録装置が発行した当該撮像装置が出力すべき画像データのデータ量を指示する出力データ量指示を受領する出力データ量指示受領手段を備え、
上記画像変換出力手段は上記出力データ量指示受領手段にて受領した上記出力データ量指示に基づいたデータ量の上記所定のビットレートの画像データを出力し、
上記記録装置は、さらに、
上記ディスク型記憶媒体に所定量の記録領域を確保する記録領域確保手段と、
上記記録領域確保手段にて確保した上記所定量の記録領域の記録容量に基づいて上記撮像装置が出力すべき画像データのデータ量を算出し、上記撮像装置に上記出力データ量指示を発行するデータ量算出指示手段とを備え、
上記ビットレート算出指示手段は上記記録領域確保手段にて確保した上記所定量の記録領域において上記ディスク型記録媒体に記録可能なビットレートを算出し、
上記画像データ記録手段は上記記録領域確保手段にて確保した上記所定量の記録領域に上記撮像装置から受領した画像データを記録する
ことを特徴とする請求項１に記載の撮像記録システム。
【請求項３】
上記撮像装置は、さらに、
上記記録装置に当該撮像装置が出力した画像データの記録を要求する画像記録要求を発行する画像記録要求発行手段を備え、
上記記録装置は、さらに、
上記撮像装置が発行した上記画像記録要求を受領する画像記録要求受領手段を備え、
上記ビットレート算出指示手段は上記画像記録要求受領手段にて受領した上記画像記録要求を発行した上記撮像装置の台数に基づいて、上記撮像装置が出力すべき画像データのビットレートを算出することを特徴とする請求項１に記載の撮像記録システム。
【請求項４】
上記撮像装置は、さらに、
上記記録装置に当該撮像装置が出力した画像データの記録を要求する画像記録要求を発行する画像記録要求発行手段を備え、
上記記録装置は、さらに、
上記撮像装置が発行した上記画像記録要求を受領する画像記録要求受領手段を備え、
上記ビットレート算出指示手段は上記画像記録要求受領手段にて受領した上記画像記録要求を発行した上記撮像装置の台数に基づいて、上記撮像装置が出力すべき画像データのビットレートを算出し、
上記データ量算出指示手段は上記画像記録要求受領手段にて受領した上記画像記録要求を発行した上記撮像装置の台数に基づいて、上記撮像装置が出力すべき画像データのデータ量を算出する
ことを特徴とする請求項２に記載の撮像記録システム。
【請求項５】
上記ディスク型記録媒体は複数のディスク型記録媒体から構成され、
上記ビットレート算出指示手段は上記複数のディスク型記録媒体の構成に基づいて上記ディスク型記録媒体に記録可能なビットレートを算出し、上記ディスク型記録媒体に記録可能なビットレートに基づいて上記撮像装置が出力すべき画像データのビットレートを算出することを特徴とする請求項１に記載の撮像記録システム。
【請求項６】
上記ディスク型記録媒体は複数のディスク型記録媒体から構成され、
上記ビットレート算出指示手段は上記複数のディスク型記録媒体の構成に基づいて上記ディスク型記録媒体に記録可能なビットレートを算出し、上記ディスク型記録媒体に記録可能なビットレートに基づいて上記撮像装置が出力すべき画像データのビットレートを算出し、
上記データ量算出指示手段は、さらに、上記複数のディスク型記録媒体の構成に基づいて上記撮像装置が出力すべき画像データのデータ量を算出することを特徴とする請求項２に記載の撮像記録システム。
【請求項７】
上記ビットレート算出指示手段は上記複数のディスク型記録媒体が再構築処理中であるか否かの状態に基づいて上記ディスク型記録媒体に記録可能なビットレートを算出し、上記ディスク型記録媒体に記録可能なビットレートに基づいて上記撮像装置が出力すべき画像データのビットレートを算出することを特徴とする請求項５に記載の撮像記録システム。
【請求項８】
上記ビットレート算出指示手段は上記複数のディスク型記録媒体が再構築処理中であるか否かの状態に基づいて上記ディスク型記録媒体に記録可能なビットレートを算出し、上記ディスク型記録媒体に記録可能なビットレートに基づいて上記撮像装置が出力すべき画像データのビットレートを算出し、
上記データ量算出指示手段は、さらに、上記複数のディスク型記録媒体が再構築処理中であるか否かの状態に基づいて上記撮像装置が出力すべき画像データのデータ量を算出することを特徴とする請求項６に記載の撮像記録システム。
【手続補正２】
【補正対象書類名】明細書
【補正対象項目名】０００７
【補正方法】変更
【補正の内容】
【０００７】
本発明は上記の点を鑑みてなされたものであり、コマ落ち等の不良記録を防止しながら可能な限り高ビットレート（又は高画質）で記録することを目的とする。
【手続補正３】
【補正対象書類名】明細書
【補正対象項目名】０００９
【補正方法】変更
【補正の内容】
【０００９】
本発明によれば、コマ落ち等の不良記録を防止しながら可能な限り高ビットレート（又は高画質）で記録することができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００７７
【補正方法】変更
【補正の内容】
【００７７】
本発明の実施形態における演算や制御等の処理は、コンピュータがプログラムを実行することによって実現することができる。また、プログラムをコンピュータに供給するための手段は、プログラムを記録したＣＤ−ＲＯＭ等のコンピュータ読み取り可能な記録媒体やプログラムを伝送するインターネット等の伝送媒体であってもよい。
本実施形態によれば、撮像装置と記録装置とを備えた撮像記録システムにおいて、記録装置はその時点で自身が所有するディスク型記憶媒体に対して記録可能なビットレートに基づいて、撮像装置が出力する画像データのビットレートを指示することにより、撮像装置が撮像した画像をコマ落ち等の不良記録を防止しながら可能な限り高ビットレート（又は高画質）で記録することのできる撮像記録システムを提供することができる。
また、本実施形態によれば、記録装置はディスク型記憶媒体に確保した記録領域において記録可能なビットレートに基づいて、撮像装置が出力する画像データのビットレートを指示することにより、記録装置が確保した記録領域に応じて動的に撮像装置が出力する画像データのビットレートを変更することができる。
また、本実施形態によれば、記録装置へ画像データの記録を要求する撮像装置の台数に応じて動的に撮像装置が出力する画像データのビットレートを変更することができる。すなわち、記録装置へ画像データの記録を要求する撮像装置の増減にかかわらず撮像装置が撮像した画像を常にその時点における可能な限りの高画質で記録することができる。
また、本実施形態によれば、ディスク型記録媒体としてディスクアレイを使用する撮像記録システムに本実施形態を適用することができる。
また、本実施形態によれば、ディスクアレイが冗長性をもって構成される場合、ディスクアレイが再構築処理中であるか否かの状態に基づいて、動的に撮像装置が出力する画像データのビットレートを変更することができる。すなわち、ディスクアレイが再構築中であるか否かにかかわらず撮像装置が撮像した画像を常にその時点における可能な限りの高画質で記録することができる。
以上、この発明の実施形態について図面を参照して詳述してきたが、具体的な構成はこの実施形態に限られるものではなく、この発明の要旨を逸脱しない範囲の設計等も含まれる。